(57)【要約】【課題】従来の電気掃除機は、集塵性能を向上させるために、刷毛やブレード状の摺擦部材の条数を増やそうとして、回転体の溝帯数を増加しようとすると、回転体の直径が大きくなり、重くなってしまうという問題があった。また、回転体の直径が大きくなることにより、偏心量が大きくなり、回転振動が大きくなるという問題があった。【解決手段】回転清掃体の摺擦部材を保持するための複数の溝帯を、隣り合う溝帯の回転体中心からの距離がそれぞれ異なるように回転体の外周に設ける。【選択図】  図３
2005021467.tif 000002
【特許請求の範囲】
【請求項１】
下面に吸込口を有する下ケースに上ケースを配設して形成した吸口本体と、該吸口本体に接続された自在継手と、前記吸口本体内に配設された回転清掃体とを有し、
該回転清掃体は、回転体と、該回転体に配設された複数の摺擦部材とを有し、
前記回転体の外周には、該回転体の中心からの距離がほぼ等しい位置にそれぞれ配設され前記摺擦部材を保持する複数の第１溝帯と、該複数の第１溝帯の各溝間にそれぞれ位置すると共に該複数の第１溝帯より外周側でかつ前記回転体の中心からの距離がほぼ等しい位置にそれぞれ配設された前記摺擦部材を保持する複数の第２溝帯を形成したことを特徴とする電気掃除機の吸口体。
【請求項２】
下面に吸込口を有する下ケースに上ケースを配設して形成した吸口本体と、該吸口本体に接続された自在継手と、前記吸口本体内に配設された回転清掃体とを有し、
該回転清掃体は、回転体と、該回転体に配設された複数の摺擦部材とを有し、
前記回転体の外周には、前記摺擦部材を保持する複数の第１溝帯と、該複数の第１溝帯の各溝帯間に位置すると共に該複数の第１溝帯より径方向外側に配設された前記摺擦部材を保持する複数の第２溝帯を形成し、
前記複数の第１溝帯は、前記複数の第２溝帯を形成する第２溝帯形成部の一部により形成されていることを特徴とする電気掃除機の吸口体。
【請求項３】
下面に吸込口を有する下ケースに上ケースを配設して形成した吸口本体と、該吸口本体に接続された自在継手と、前記吸口本体内に配設された回転清掃体とを有し、
該回転清掃体は、軸方向に沿って形成された複数の溝を有する回転体と、該回転体の溝帯に配設され被清掃面を摺擦する複数の摺擦部材とを有し、
前記複数の溝帯は、隣り合う溝帯の前記回転体の中心からの距離がそれぞれ異なることを特徴とする電気掃除機の吸口体。
【請求項４】
吸引力を発生する電動送風機とゴミを集塵する集塵部とを有する掃除機本体と、該掃除機本体に一端が接続されたホースと、該ホースの他端に延長管を介して接続された吸口体とを備えた電気掃除機において、
前記吸口体は、
下面に吸込口を有する下ケースに上ケースを配設して形成した吸口本体と、該吸口本体に接続された自在継手と、前記吸口本体内に配設された回転清掃体とを有し、
該回転清掃体は、回転体と、該回転体に配設された複数の摺擦部材とを有し、
前記回転体の外周には、該回転体の中心からの距離がほぼ等しい位置にそれぞれ配設され前記摺擦部材を保持する複数の第１溝帯と、該複数の第１溝帯の各溝帯間にそれぞれ位置すると共に該複数の第１溝帯より外周側でかつ前記回転体の中心からの距離がほぼ等しい位置にそれぞれ配設された前記摺擦部材を保持する複数の第２溝帯を形成したことを特徴とする電気掃除機。
【請求項５】
吸引力を発生する電動送風機とゴミを集塵する集塵部とを有する掃除機本体と、該掃除機本体に一端が接続されたホースと、該ホースの他端に延長管を介して接続された吸口体とを備えた電気掃除機において、
前記吸口体は、
下面に吸込口を有する下ケースに上ケースを配設して形成した吸口本体と、該吸口本体に接続された自在継手と、前記吸口本体内に配設された回転清掃体とを有し、
該回転清掃体は、回転体と、該回転体に配設された複数の摺擦部材とを有し、
前記回転体の外周には、前記摺擦部材を保持する複数の第１溝帯と、該複数の第１溝帯の各溝帯間に位置すると共に該複数の第１溝帯より径方向外側に配設された前記摺擦部材を保持する複数の第２溝帯を形成し、
前記複数の第１溝帯は、前記複数の第２溝帯を形成する第２溝帯形成部の一部により形成されていることを特徴とする電気掃除機。
【請求項６】
吸引力を発生する電動送風機とゴミを集塵する集塵部とを有する掃除機本体と、該掃除機本体に一端が接続されたホースと、該ホースの他端に延長管を介して接続された吸口体とを備えた電気掃除機において、
前記吸口体は、
下面に吸込口を有する下ケースに上ケースを配設して形成した吸口本体と、該吸口本体に接続された自在継手と、前記吸口本体内に配設された回転清掃体とを有し、
該回転清掃体は、軸方向に沿って形成された複数の溝帯を有する回転体と、該回転体の溝帯に配設され被清掃面を摺擦する複数の摺擦部材とを有し、
前記複数の溝帯は、隣り合う溝帯の前記回転体の中心からの距離がそれぞれ異なることを特徴とする電気掃除機。
【発明の詳細な説明】
【０００１】
【発明の属する技術分野】
本発明は、刷毛やブレードなどの摺擦部材を設けた回転清掃体によって被清掃面からごみや塵埃を掻き出して吸い込む電気掃除機の吸口体およびこの吸口体を備えた電気掃除機に関する。
【０００２】
【従来の技術】
電気掃除機の吸口体は、その床面開口部に刷毛やブレード状の摺擦部材を設けた所謂回転清掃体を設け、この回転清掃体の回転によって絨毯や畳等の隙間に入り込んだ塵埃を掻き出す方式が広く利用されている。この回転清掃体は、中心に回転体を配置し、この回転体の表面に複数の溝帯を設け、この溝帯に刷毛やブレード状の摺擦部材を取り付ける構成になっている。
【０００３】
この回転清掃体の回転トルクの発生機構には、吸込み空気を利用するエアタービンを用いる方式と、掃除機本体の電源部からフレキシブルホースや延長管内部に設けたワイヤーを通して給電し、モーターを回転させるモーター方式がある。
【０００４】
なお、この種の装置として関連するものには、例えば特開２００２−３４５６９９号公報（特許文献１）等が挙げられる。
【０００５】
この特許文献１には、回転自在に配備された回転子１７と、この記回転子１７に塵埃除去体（２７、２８、２９）を挿入する複数の溝帯１８とを備え、この溝帯１８の少なくともいくつかを回転中心Ｏからそれぞれ異なる距離に設けるようにした技術が開示されている。そして、この構成では、回転中心Ｏから遠い距離に挿入された塵埃除去体２７は長さが短いので、絨毯上の塵埃を強い力でかき揚げることができ、また、溝帯１８を回転中心Ｏから近い距離に挿入された塵埃除去体２９は長さを長くすることができるため、塵埃除去体２９が柔らかくなり床面上を掃除する際になめるように床面と接することができるものである。
【０００６】
【特許文献１】
特開２００２−３４５６９９号公報
【０００７】
【発明が解決しようとする課題】
図４に示すように、回転体４０１に塵埃除去体４０２を固定する場合には、塵埃除去体４０２の基部４０２ａを回転体４０１の外周に、回転中心４０５から同じ距離にある複数の溝帯４０３に挿入して固定する。溝帯４０３を形成するにあたっては所定の厚みを有する溝帯形成部４０４が必要となる。溝帯４０３に挿入される基部４０２ａは回転体４０１の周方向に沿って所定の幅を有している。このため、集塵性能を向上させるために、塵埃除去体の条数を増やそうとすると、基部４０２ａの周方向の幅と、溝帯形成部４０４の厚みとが必要とする条数に応じた分だけ加算され、回転体４０１の直径が大きくなり、吸口体の重量が増加するという問題があった。また、回転体の直径が大きくなることにより、偏心量が大きくなり、回転振動が大きくなるという問題があった。
【０００８】
そこで、本発明の目的は、刷毛やブレード状の摺擦部材の条数を増やしても、回転体の直径の増加を抑え、さらには回転振動を抑えた電気掃除機の吸口体およびこの吸口体を備えた電気掃除機を提供することにある。
【０００９】
【課題を解決するための手段】
上記目的を達成するために本発明の特徴とするところは、下面に吸込口を有する下ケースに上ケースを配設して形成した吸口本体と、該吸口本体に接続された自在継手と、前記吸口本体内に配設された回転清掃体とを有し、該回転清掃体は、回転体と、該回転体に配設された複数の摺擦部材とを有し、前記回転体の外周には、該回転体の中心からの距離がほぼ等しい位置にそれぞれ配設され前記摺擦部材を保持する複数の第１溝帯と、該複数の第１溝帯の各溝間にそれぞれ位置すると共に該複数の第１溝帯より外周側でかつ前記回転体の中心からの距離がほぼ等しい位置にそれぞれ配設された前記摺擦部材を保持する複数の第２溝帯を形成したことにある。
【００１０】
【発明の実施の形態】
以下、本発明に係る実施の形態例を添付の図面に従い詳細に説明する。
【００１１】
図２は本実施の形態に係る電気掃除機の外観図である。図２において、２０１は電動送風機及びこの電動送風機が発生する吸込気流により塵埃を集塵する集塵部を有する掃除機本体、２０２は一端側が掃除機本体２０１に接続されて集塵室と連通し、吸込気流と共に塵埃を搬送するホース体、２０３は一端側にホース体２０２の他端側が接続され使用者が握って掃除を行う手元ハンドル、２０４は手元ハンドル２０３に設けられ電動送風機の運転の入切を行う手元スイッチ、２０５は一端側に手元ハンドル２０３の他端側が接続される延長管、２０６は延長管の他端側に接続され被掃除面の塵埃を吸込む吸口体である。そして、電動送風機の運転が開始されると吸込気流が発生し、吸口体２０６から吸込まれた塵埃は延長管２０５、手元ハンドル２０３、ホース２０２を介して掃除機本体２０１の集塵部に集塵される。
【００１２】
次に、図１及び図７を用いて本実施の形態に係る吸口体の内部構成を示す。図１は吸口体２０６の平面図、図７は図１におけるＡ−Ａ断面図である。
【００１３】
図１及び図７において、１０１は吸口体２０６の下側の外郭を構成し、下面に吸込口を有する下ケース、７０５は下ケース１０１の上方に配設された上ケースであり、下ケース１０１と上ケース７０５とにより吸口本体を形成している。１０２は吸口本体内部と外部（掃除機本体）とを連通する空気通路が形成された自在継手のうち吸口本体に対して上下方向に回動可能な回転軸を有する第１の接続管であり、１０３は自在継手のうち前記第１の接続管に対して左右方向に回動可能な第２の接続管である。１０４は吸口本体内に配置され下ケース１０１の吸込口に臨むように配置された被掃除面の塵埃を掻き上げる回転清掃体、１０５は回転清掃体１０４を駆動するための電動機、１０６は電動機１０５の駆動を制御する制御手段、１０７は電動機１０５と回転清掃体１０４間に掛け渡され、電動機１０５の回転力を回転清掃体１０４に伝える駆動ベルトである。
【００１４】
図７において、７０１は外部（掃除機本体）に連通する空気通路、７０２は下ケース１０１に形成された吸込口である。
【００１５】
次に本形態例の動作を説明する。掃除機使用者が手元ハンドル２０３付近に配置された手元スイッチ２０４を操作すると、操作されたスイッチに従った動作モードで掃除機本体２０１内の電動送風機が運転する。電動送風機によって発生した吸引力は、ホース体２０２、延長管２０５を通って吸口体２０６に到達する。それと同時に、ホース体２０２および延長管２０５に設けられた電源線から供給された電源が、制御手段１０６を介して電動機１０５を駆動し、回転清掃体１０４が回転する。
【００１６】
なお、図示してはいないが、ホース体２０２および延長管２０５には、吸口体の電動機１０５に供給する電源線を設けており、第１の接続管１０２および第２の接続管１０３には、延長管２０５を接続した際に、制御手段１０６に接続するリード線を設けている。さらに、制御手段１０６と電動機１０５は、吸口下ケース１０１内に配設したリード線にて接続する。
【００１７】
以下、本発明に係る第１の実施形態について説明する。図３は本発明の実施の形態に係る回転清掃体１０４の主要部の断面図を示す。本実施の形態では回転体に８条の刷毛を用いた例である。
【００１８】
図３において３１７は吸口体２０６内に回転可能に軸支された回転体、３０９〜３１６は回転体３１７の外周に配設された摺擦部材である刷毛、３０１〜３０８は刷毛を回転体３１７に保持するための複数の溝帯である。３１８は回転体３１７の回転中心である。回転体３１７は、図５に示すように軸方向が長く形成され、軸方向に沿って複数の溝帯３０１〜３０８が形成されている。この複数の溝帯３０１〜３０８は回転体３１７の周方向に沿って捻られ、螺旋状に形成されている。なお、この回転体３１７はアルミニウム、樹脂等で形成され、押し出し成形等により製作される。また、刷毛３０９〜３１６は、図６に示すように、ナイロン等の繊維６０１を基材６０２に縫い付けて構成している。この基材６０２が、回転体３１７の溝帯３０１〜３０８に挿入されて、保持される。
【００１９】
溝帯３０１〜３０８うち、溝帯３０１，溝帯３０３，溝帯３０５、溝帯３０７（第２溝帯）は、それぞれ回転中心３１８からの距離がほぼ等しい位置にある。同様に、溝帯３０２，溝帯３０４，溝帯３０６、溝帯３０８（第１溝帯）は、それぞれ回転中心３１８からの距離がほぼ等しい位置にある。
【００２０】
そして、第２溝帯である溝帯３０１，溝帯３０３，溝帯３０５、溝帯３０７は、第１溝帯である溝帯３０２，溝帯３０４，溝帯３０６、溝帯３０８より外周側（回転体３１７の径方向外側）に位置しており、回転中心３１８からの距離が長くなっている。また、溝帯３０１〜３０８はそれぞれ隣り合って位置しており、回転中心３１７からの距離がそれぞれ異なっている。
【００２１】
さらに、第１溝帯は、第２溝帯を形成する第２溝帯形成部３１９の一部により形成されている。すなわち、第２溝帯を形成する第２溝帯形成部３１９の下部が第１溝帯の上部を兼ねており、第１溝帯に配設された刷毛３１０，３１２，３１４，３１６の径方向外側へ抜けを防止している。
【００２２】
本実施の形態によれば、第２溝帯のうち隣り合う第２溝帯同士の周方向の距離を小さくすることができるので、溝帯の回転中心からの距離をすべて同一にした場合より、回転体３１７の直径を小さくすることができる。
【００２３】
これにより、刷毛の条数を増加しても回転体３１７の質量の増加を小さくする事ができる。また回転体の偏心量および回転振動増加を小さくすることができる。
【００２４】
また、図７に示すように、回転清掃体１０４によってかき出された塵埃類は、床面開口部７０２より吸口体内に吸引されるが、このとき、回転体３１７の直径が小さいと、回転体３１７と下ケース１０１との隙間７０４を大きくできるので、比較的大きい塵埃類も吸引できるという効果もある。
【００２５】
剥離したゴミは、電気掃除機本体２０１内の電動送風機により発生した吸引力により運ばれ、接続管１０２、１０３の内部に形成された管状の空気通路を通って掃除機本体２０１に吸引される。
【００２６】
また、毛足の長いじゅうたん上を清掃する際に、毛足が回転体３１７に接触して回転抵抗になる場合も、少ないという効果もある。
【００２７】
また、回転体３１７の直径が小さい事により、電動機１０５の出力が同一でも、回転トルクが大きくなるので、回転清掃体の回転ロックがしにくくなるという効果もある。
【００２８】
また、回転清掃体の条数を増やせるので、剛性の異なる刷毛や可撓性を有するブレードを組み合わせることにより、砂ゴミや毛髪といった多様な塵埃や、フローリングや絨毯といった多様な床材に対応しやすいという効果もある。
【００２９】
また、回転清掃体１０４の回転方向を図７の矢印７０３の方向とすることにより、絨毯上での操作力（吸口体を押す時の力）を低減させる効果も、より大きくなるという効果もある。
【００３０】
図８に本発明に係る第２の実施形態を説明する。図８は回転体８０１に６条の刷毛を用いた例である。
【００３１】
図８において、８００は回転体、８０１〜８０６は回転体８００の外周に形成された複数の溝帯、８０７〜８１２は複数の溝帯８０１〜８０６に配設された刷毛である。
【００３２】
溝帯８０１〜８０６うち、溝帯８０１，溝帯８０３，溝帯８０５（第２溝帯）は、それぞれ回転中心８１３からの距離がほぼ等しい位置にある。同様に、溝帯８０２，溝帯８０４，溝帯８０６（第１溝帯）は、それぞれ回転中心８１３からの距離がほぼ等しい位置にある。
【００３３】
そして、第２溝帯である溝帯８０１，溝帯８０３，溝帯８０５は、第１溝帯である溝帯８０２，溝帯８０４，溝帯８０６より外周側（回転体８００の径方向外側）に位置しており、回転中心８１３からの距離が長くなっている。また、溝帯８０１〜８０６はそれぞれ隣り合って位置しており、回転中心８１３からの距離がそれぞれ異なっている。
【００３４】
本実施の形態では、第１溝帯が３本から構成されているので、回転体８００の中央に回転軸を挿入するための貫通した穴を形成することができない。この場合、回転体の軸方向の両端部に、複数の溝帯８０１〜８０６の溝形状に合わせたプーリーを配設するようにする。これにより、第１の実施形態と同様の効果を奏する。
【００３５】
図９に本発明に係る第３の実施形態を説明する。図９は回転体９００に１０条の刷毛を用いた例である。
【００３６】
図９において、９００は吸口体２０６内に回転可能に軸支された回転体、９０１〜９１０は回転体９００の外周に形成された複数の溝帯、９１１〜９２０は複数の溝帯９０１〜９１０に配設された刷毛、９２１は回転体９００の回転中心である。
【００３７】
溝帯９０１〜３１０うち、溝帯９０１，溝帯９０３，溝帯９０５，溝帯９０７，溝帯９０９（第２溝帯）は、それぞれ回転中心９２１からの距離がほぼ等しい位置にある。同様に、溝帯９０２，溝帯９０４，溝帯９０６，溝帯９０８，  溝帯９１０（第１溝帯）は、それぞれ回転中心３１８からの距離がほぼ等しい位置にある。
【００３８】
そして、第２溝帯である溝帯９０１，溝帯９０３，溝帯９０５，溝帯９０７，溝帯９０９は、第１溝帯である溝帯９０２，溝帯９０４，溝帯９０６，溝帯９０８，溝帯９１０より外周側（回転体９００の径方向外側）に位置しており、回転中心９２１からの距離が長くなっている。また、溝帯９０１〜３１０はそれぞれ隣り合って位置しており、回転中心９００からの距離がそれぞれ異なっている。
【００３９】
さらに、第１溝帯は、第２溝帯を形成する第２溝帯形成部９２２の一部により形成されている。すなわち、第２溝帯を形成する第２溝帯形成部９２２の下部が第１溝帯の上部を兼ねており、第１溝帯に配設された刷毛９１０，９１２，９１４，９１６，９１８の径方向外側へ抜けを防止している。
【００４０】
本実施の形態において、第１の実施の形態と異なるのは、第１溝帯が奇数となっていることであるが、本実施の形態では第１溝帯が奇数か偶数かに係らず、第１の実施の形態と同様の効果を奏するものである。
【００４１】
図１０に本発明に係る第４の実施形態を説明する。図１０は回転体１０００に１６条の刷毛を用いた例である。
【００４２】
図１０において、１０００は吸口体２０６内に回転可能に軸支された回転体、１００１〜１０１６は回転体１０００の外周に形成された複数の溝帯、１０１７〜１０３２は複数の溝帯１００１〜１０１６に配設された刷毛、１０３３は回転体１０００の回転中心である。
【００４３】
溝帯１００１〜１０１６うち、溝帯１００１，溝帯１００３，溝帯１００５，溝帯１００７，溝帯１００９，溝帯１０１１，溝帯１０１３，溝帯１０１５（第３溝帯）は、それぞれ回転中心１０３３からの距離がほぼ等しい位置にある。また、溝帯１００２，溝帯１００６，溝帯１０１０，溝帯１０１４（第２溝帯）は、それぞれ回転中心１０３３からの距離がほぼ等しい位置にある。さらに、溝帯１００４，溝帯１００８，溝帯１０１２，溝帯１０１６（第１溝帯）は、それぞれ回転中心１０３３からの距離がほぼ等しい位置にある。
【００４４】
そして、第３溝帯である溝帯１００１，溝帯１００３，溝帯１００５，溝帯１００７，溝帯１００９，溝帯１０１１，溝帯１０１３，溝帯１０１５は、第２溝帯である溝帯１００２，溝帯１００６，溝帯１０１０，溝帯１０１４より外周側（回転体９００の径方向外側）に位置しており、第２溝帯は第１溝帯である溝帯１００４，溝帯１００８，溝帯１０１２，溝帯１０１６より外周側（回転体９００の径方向外側）に位置しており、回転中心１０３３からの第３溝帯、第２溝帯、第１溝帯へのそれぞれの距離の関係は、第３溝帯＞第２溝帯＞第１溝帯となっている。
【００４５】
さらに、第１溝帯は第２溝帯を形成する第２溝帯形成部１０３４の一部により形成されており、第２溝帯は第３溝帯を形成する第３溝帯形成部１０３５の一部により形成されている。すなわち、第２溝帯を形成する第２溝帯形成部１０３４の下部が第１溝帯の上部を兼ねており、第３溝帯を形成する第３溝帯形成部１０３５の下部が第２溝帯の上部を兼ねており、第１溝帯及び第２溝帯に配設された刷毛の径方向外側へ抜けを防止している。
【００４６】
本実施の形態によれば、隣り合う第１溝帯間の複数の溝帯を形成し、さらに第３溝帯のうち隣り合う第３溝帯同士の周方向の距離を小さくすることができるので、溝帯の回転中心からの距離をすべて同一にした場合より、回転体１００の直径を小さくすることができる。
【００４７】
これにより、刷毛の条数を増加しても回転体１０００の質量の増加を小さくすることができる。また回転体の偏心量および回転振動増加を小さくすることができる。
【００４８】
【発明の効果】
本発明によれば、刷毛の条数を増加しても回転体の質量の増加を小さくすることができる。また回転体の偏心量および回転振動増加を小さくすることができる。
【図面の簡単な説明】
【図１】本発明の実施の形態に係る吸口体の上面図である。
【図２】本発明の実施の形態に係る電気掃除機の外観図である。
【図３】本発明の実施の形態に係る回転清掃体の断面図である。
【図４】従来の回転清掃体の断面図である。
【図５】本発明の実施の形態に係る回転体の斜視図
【図６】本発明の実施の形態に係る刷毛体の側面図である。
【図７】図１における吸口体のＡ−Ａ断面図である。
【図８】本発明の実施の形態に係る回転清掃体の断面図である。
【図９】本発明の実施の形態に係る回転清掃体の断面図である
【図１０】本発明の実施の形態に係る回転清掃体の断面図である
【符号の説明】
１０１…吸口体、１０４…回転清掃体、３１７…回転体、３０１，３０２，３０３，３０４，３０５，３０６，３０７…溝帯。
【図１】
2005021467.tif 000003
【図２】
2005021467.tif 000004
【図３】
2005021467.tif 000005
【図４】
2005021467.tif 000006
【図５】
2005021467.tif 000007
【図６】
2005021467.tif 000008
【図７】
2005021467.tif 000009
【図８】
2005021467.tif 000010
【図９】
2005021467.tif 000011
【図１０】
2005021467.tif 000012